(57)【要約】  【課題】  取り付け作業が容易であり、足場板からの脱落を防止することができる仮設足場用支持部材を提供する。  【解決手段】  仮設足場１００における足場板１０４の側フレーム１０５の外面に当接可能な断面コの字状に構成され、上板部４に下板部６に対して側方に張り出した張り出し部４ａが設けられた踏板受当部２と、ジャッキの螺軸５１を嵌装可能な取り付け金具３と、前記踏板受当部２の前記張り出し部から下側に伸び前記踏板に差し込まれる挿入ピン７と、前記側フレーム１０５の下面内縁１０５ｄに係合して、前記踏板受当部２の前記挿入ピン７周りの回動を規制する移動規制部材８と、を備える。【選択図】  図１２
2018123474.tif 000002
【特許請求の範囲】
【請求項１】
螺軸と前記螺軸の一端に設けられ建築物の外壁に当接する建築物側当接部材とを有するジャッキを、建築物の外周に沿って組み立てられた仮設足場に取り付ける仮設足場用支持部材であって、
前記仮設足場における足場板の側フレームの外面に当接可能な断面コの字状に構成され、上板部に下板部に対して側方に張り出した張り出し部が設けられた踏板受当部と、
前記ジャッキの螺軸を嵌装可能な取り付け金具と、
前記踏板受当部の前記張り出し部から下側に伸び前記踏板に差し込まれる挿入ピンと、
前記踏板受当部の前記下板部に対し上側位置及び下側位置の間で移動可能に設けられ、前記上側位置において、前記側フレームの下面内縁に係合して、前記踏板受当部の前記挿入ピン周りの回動を規制する移動規制部材と、
を備えることを特徴とする、仮設足場用支持部材。
【請求項２】
前記挿入ピンは、前記側フレームの厚み寸法の垂下部と、前記垂下部の下端に設けられ、前記側フレームの下縁に係合可能な屈曲部を有することを特徴とする、請求項１に記載の仮設足場用支持部材。
【請求項３】
前記移動規制部材は、前記取り付け金具の軸に沿った方向に伸び、当該長さ方向軸を回転軸として回動自在に設けられる軸部と、前記軸部に対して屈曲して設けられた係合部とを備えることを特徴とする、請求項１又は２に記載の仮設足場用支持部材。
【請求項４】
前記取り付け金具は、前記踏板受け当て部の下板部に固定される円筒形状に構成され、
前記移動規制部の前記軸部を、前記下板部底面と前記取り付け金具上面と間に形成された隙間に遊嵌して支持することを特徴とする、請求項３に記載の仮設足場用支持部材。
【発明の詳細な説明】
【技術分野】
【０００１】
本発明は、仮設足場を建築物に対して支持する仮設足場用支持部材に関し、特に、建築物の外周に沿って組み立てられた足場に取り付けて、足場を建築物に対して突っ張り支持する仮設足場用支持部材に関する。
【背景技術】
【０００２】
建築物の外周に沿って組み立てられた足場と建築物の間に足場用圧縮部材を設け、当該圧縮部材により足場を建築物に対して圧縮させることで、足場を建築物に対して支承することが知られている。
【０００３】
この足場の支承方法において、圧縮部材が建築物への当接する箇所が建築物の外壁面の剛性の高い箇所として、足場からの荷重により建築物の外壁面が破損する問題を解消するため、仮設足場用支持部材を足場板に固定する技術が知られている。
【０００４】
例えば、特許文献１（特開２００４−１５０１６１号公報）に記載の支持装置は、装置の一端部には足場板に当接する足場板側当接部を設け、他端部には建築物の外壁面に当接する建築物側当接部を設け、そして足場板側当接部にはフック状の移動規制部材を設け、このフック状の移動規制部材を足場板のメッシュ状の上面に差し込むことにより、足場板の移動を規制するようになっている。
【０００５】
特許文献２（特開２０１１−１０６１６号公報）には、取り付け金具の上面側部に設けられ、足場における足場板の側枠部を内外両側から挟持するクランプを用いて、建築物の側面への当接部材を仮設足場に取り付ける仮設足場用支持装置が開示されている。
【先行技術文献】
【特許文献】
【０００６】
【特許文献１】特開２００４−１５０１６１号公報
【特許文献２】特開２０１１−１０６１６１号公報
【発明の概要】
【発明が解決しようとする課題】
【０００７】
しかし、特許文献１の支持装置は、足場板のフレーム外面に当接する踏板側当接部が、フレームの上面と側面に接触するように構成され、さらに、移動規制部材が、踏板の上側から差し込むように構成されているため、足場板が下側に変位したような場合には、足場板から上側に滑り外れて脱落するおそれがあるという問題があった。例えば、足場板が建築物側に傾いた場合などは、足場板は下側に変位するため、踏板側当接部のガタツキが大きくなり、建築物側受当部による圧縮力により、支持装置が脱落するおそれもあった。当該支持装置は、踏板側当接部の下板部により、上方向への滑り外れを防止しているが、踏板への取り付け作業などの点から、下板部の寸法を大きくすることはできず、また、メッシュの孔に対して移動規制部材の寸法が小さいため、移動規制部材がメッシュ内で前後方向及び左右方向に位置ずれすることあるため、下板部による上方向の滑り防止は確実なものとはいえなかった。
【０００８】
また、特許文献２の支持装置は、足場板のフレームを表裏側から挟持するクランプによる取り付けであるため、取り付け作業に固定ねじを用いて締め付ける必要があり、作業が煩雑であるという問題があった。さらに、通常、金属板を折り曲げて薄手に構成された足場板のフレームに固定ねじを用いて締め付ける構成では、固定強度が十分に得られず、足場板から支持装置が脱落するおそれがあった。
【０００９】
したがって、本発明が解決しようとする技術的課題は、取り付け作業が容易であり、足場板からの脱落を防止することができる仮設足場用支持部材を提供することである。
【課題を解決するための手段】
【００１０】
本発明は、上記技術的課題を解決するために、以下の構成の仮設足場用支持部材を提供する。
【００１１】
本発明の第１態様によれば、螺軸と前記螺軸の一端に設けられ建築物の外壁に当接する建築物側当接部材とを有するジャッキを、建築物の外周に沿って組み立てられた仮設足場に取り付ける仮設足場用支持部材であって、
前記仮設足場における足場板の側フレームの外面に当接可能な断面コの字状に構成され、下板部に対して側方に張り出した張り出し部が上板部に設けられた踏板受当部と、
前記ジャッキの螺軸を嵌装可能な取り付け金具と、
前記踏板受当部の前記張り出し部から下側に伸び前記踏板に差し込まれる挿入ピンと、
前記踏板受当部の前記下板部に対し上側位置及び下側位置の間で移動可能に設けられ、前記上側位置において、前記側フレームの下面内縁に係合して、前記踏板受当部の前記挿入ピン周りの回動を規制する移動規制部材と、
を備えることを特徴とする、仮設足場用支持部材を提供する。
【００１２】
本発明の第２態様によれば、前記挿入ピンは、前記側フレームの厚み寸法の垂下部と、前記垂下部の下端に設けられ、前記側フレームの下縁に係合可能な屈曲部を有することを特徴とする、第１態様の仮設足場用支持部材を提供する。
【００１３】
本発明の第３態様によれば、前記移動規制部材は、前記取り付け金具の軸に沿った方向に伸び、当該長さ方向軸を回転軸として回動自在に設けられる軸部と、前記軸部に対して屈曲して設けられた係合部とを備えることを特徴とする、第１又は第２態様の仮設足場用支持部材を提供する。
【００１４】
本発明の第４態様によれば、前記取り付け金具は、前記踏板受け当て部の下板部に固定される円筒形状に構成され、
前記移動規制部の前記軸部を、前記下板部底面と前記取り付け金具上面と間に形成された隙間に遊嵌して支持することを特徴とする、第３態様の仮設足場用支持部材を提供する。
【発明の効果】
【００１５】
本発明によれば、踏板受当部の張り出し部分に設けられた挿入ピンを踏板に挿通させた状態から、踏板受当部を側フレームに沿った位置に回転移動させた後、踏板受当部の下板部に対して上下位置で移動可能に設けられ、側フレームの下面内縁に係合する移動規制部材により、踏板受当部の前記挿入ピン周りの回動を規制することができる。これにより、踏板受当部が側フレームに対して、上下左右方向への位置ずれ及び、上下方への方向への滑り外れることが防止される。また、取り付け作業も、挿入ピンを踏板に差し込んで挿入ピン回りに回転させる作業でよく、容易に取り付けを行なうことができる。
【図面の簡単な説明】
【００１６】
【図１】本発明の実施形態にかかる仮設足場用支持部材を用いた仮設足場の斜視図である。
【図２】図１の仮設足場に用いられる踏板の構成を示す図であり、（ａ）は平面図、（ｂ）は、I-I線における断面図である。
【図３】図１の仮設足場用支持部材に使用されるジャッキの構成を示す側面図である。
【図４】図１の仮設足場用支持部材の構成を示す斜視図である。
【図５】図１の仮設足場用支持部材の構成を示す他の角度からみた斜視図である。
【図６】図４のVI-VI線における断面図である。
【図７】係合部を側フレームの下面後縁に押圧させるために、係合部をくさび形形とした状態を示す図である。
【図８】係合部を側フレームの下面後縁に押圧させるために、下板部の前端部分を斜辺とした構成を示す図である。
【図９】本実施形態にかかる仮設足場用支持部材を踏板に取り付けた状態を示す平面図である。
【図１０】本実施形態にかかる仮設足場用支持部材の取り付け工程を説明する平面図である。
【図１１】仮設足場用支持部材を回転させて踏板受当部を側フレームの外面に当接させた状態を示す斜視図である。
【図１２】固定ノブ８の係合部がフレームの下面後縁に係合した状態を示す斜視図である。
【発明を実施するための形態】
【００１７】
以下、本発明の各実施形態に係る仮設足場用支持部材について、図面を参照しながら説明する。
【００１８】
図１は、本発明の実施形態にかかる仮設足場用支持部材を用いた仮設足場の斜視図である。仮設足場１００は、図１に示すように、建築物１０１の周囲に沿って組み立てられ、配置される。仮設足場１００は、建築物１０１の外周に沿って、所定間隔ごとに２列に立設された複数の支柱１０２と、支柱の間を水平方向に沿って連結された水平材１０３とで構成されており、複数の踏板１０４が水平材の間に掛け渡されている。
【００１９】
支柱１０２は、金属パイプによって構成されており、長さ方向に連結することができる。また、支柱１０２には、所定間隔をおいて、水平材を連結するための連結部が設けられており、当該連結部に水平材１０３の両端部位が挿入されることにより、両者が連結される。
【００２０】
踏板１０４は、図２に示すように、踏板の周囲を構成する側フレーム１０５と、側フレーム１０５に設けられたメッシュ状のエキスパンドメタル１０６とを備える。また、側フレームの長手方向側両端には、係止フック１０７が設けられており、水平材１０３に係止して踏板を連結する。
【００２１】
側フレーム１０５は、上面１０５ａ、側面１０５ｂ、下面１０５ｃを有する断面コの字状に構成された金属フレームであり、上面１０５ａの内側面に、エキスパンドメタル１０６が溶接されている。
【００２２】
仮設足場用支持部材１は、踏板１０４と建築物１０１との間に設けられる。仮設足場用支持部材１は、建築物１０１の外壁面に押圧されるジャッキ５０を踏板１０４に取り付けるための部材である。
【００２３】
ジャッキ５０は、図３に示すように螺軸５１と螺軸の一端に設けられた建築物側当接部材５２と、螺軸に螺合されたナット５３とを備えている。建築物側当接部材５２は、外形がカップ型を有した板状の部材であり、建築物に当接する周縁にゴムなどの保護部材５５が装着されている。ナット５３には、直径方向に突出して設けられたハンドル５４が設けられている。ジャッキ５０は、螺軸５１を後述する仮設足場用支持部材１の筒状の取り付け金具３にナット５３が当接するまで挿入し、ナット５３に対する螺軸５１の螺進位置により、建築物側当接部材５２を仮設足場用支持部材１に対して進退可能である。
【００２４】
図４，図５は、本実施形態にかかる仮設足場用支持部材１の構成を示す斜視図である。図６は、図４のVI-VI線における断面図である。仮設足場用支持部材１は、仮設足場１００に使用される踏板の側フレーム１０５に当接する踏板受当部２と、踏板受当部２の下側に設けられ、ジャッキ５０の螺軸５１を嵌装可能な筒状の取り付け金具３を備える。
【００２５】
踏板受当部２は、金属板を折り曲げて構成されており、平面視矩形の上板部４と、上板部４の前端部から下方に伸びるように設けられた側板部５と、側板部５の下端部から後方に伸びるように設けられた下板部６とを備える。これにより、上板部４及び側板部５が側フレーム１０５の上面及び側面に接することにより、踏板受当部２が側フレーム１０５の外面に当接する。なお、下板部６は、取り付け時において、側フレーム１０５の下面に対向するように配置されるが、後述する取り付け作業の手間を考慮すると、側フレーム１０５の下面にごく近接することが好ましい。すなわち、上板部４と下板部６との離間距離Ｌは、側フレーム１０５の厚み寸法Ａ（図２参照）よりもわずかに大きくなるように構成されていることが好ましい。
【００２６】
上板部４は、側板部５及び下板部６に対して大きく構成されており、下板部６に対して側方に張り出した張り出し部４ａが設けられる。張り出し部４には、下方へ伸びる挿入ピン７が設けられる。
【００２７】
挿入ピン７は、側板部５の側端からの距離Ｄが、側フレーム１０５の上面の前後方向寸法Ｂ（図２参照）よりも大きくなるような設置位置に設けられており、後述するように、取り付け作業において、張り出し部４ａを側フレーム１０５の上面１０５ａに当接させたときに、挿入ピン７が踏板１０４のエキスパンドメタル１０６の網目に挿通可能となっている。
【００２８】
また、挿入ピン７は、張り出し部４ａの下面から下方へ伸びる垂下部７ａと、垂下部７ａの下端には、前方向に屈曲して設けられた屈曲部７ｂとを備えたＬ字状の線材で構成されている。垂下部７ａの長さ寸法は、踏板１０４の側フレーム１０５の厚み寸法Ａ程度に構成されている。これにより、取り付け時に屈曲部７ｂが踏板１０４の側フレーム１０５下方に配置されることとなり、側フレーム１０５の下面１０５ｃに係合可能である。
【００２９】
側板部５は、上板部４の前端部から下方に伸びるように設けられる。側板部５の寸法は、上記のとおり、側フレーム１０５の厚さ寸法Ａに準じている。
【００３０】
下板部６は、側板部５の下端から側フレーム１０５の下面１０５ｃ側に伸び、下面１０５ｃにごく近接して対向配置される。下板部６の前後方向寸法Ｅは、側フレーム１０５の下面１０５ｃの寸法Ｃとほぼ同じ程度となっている。また、下板部６の幅方向両端は、下方に折り曲げられており、取り付け金具３と溶接固定する取り付け部６ａ，６ｂとなっている。
【００３１】
取り付け金具３は、ジャッキ５０の螺軸５１を嵌入可能な円筒部材であり、下板部６の下方に溶接される。取り付け金具３と下板部６の溶接は上記の通り、取り付け部６ａ、６ｂが用いられ、図６に示すように、取り付け金具３の外面に取り付け部６ａ、６ｂの下端部分が接触するように配置される。
【００３２】
挿入ピン７から遠位側の取り付け部６ａは、近位側の取り付け部６ｂに対して大きく構成されており、取り付け金具３の外面と下板部６との間には、本発明の移動規制部材の一例としての固定ノブ８を取り付けるためのノブ取り付け隙間９が形成されている。
【００３３】
ノブ取り付け領域９は、図６に示すように取り付け金具３の外面と下板部６で囲まれた空間であり、当該空間に固定ノブ８が遊嵌された状態に取り付けられる。
【００３４】
固定ノブ８は、ノブ取り付け領域９に遊嵌される軸部８ａと、軸部８ａの後端に設けられる係合部８ｂと、軸部８ａの前端に設けられるレバー部８ｃとが一体的に構成された金属線材である。
【００３５】
固定ノブ８の係合部８ｂとレバー部８ｃは、軸部８ａの軸方向に対して、ほぼ同方向に折り曲げられて設けられている。踏板受当部２の側板部５の前方に配置されたレバー部８ｃを操作することで、図６に示すように、係合部８ｂが上下位置間で移動し、側フレーム１０５と係脱の切り替えができるようになっている。
【００３６】
係合部８ｂは、下板部６に対して上側位置及び下側位置の間で移動可能となっている。すなわち、図６に示すようにレバー部８ｃの操作により、軸部８ａを回転軸として係合部８ｂが移動する。軸部８ａは下板部６のすぐ下方に配置されるため、回動により、係合部８ｂが下板部６に対して上側位置及び下側位置の間で移動する。
【００３７】
上側位置にある係合部８ｂは、側フレーム１０５の下面１０５ｃの後縁１０５ｄに係合し、踏板受当部２が位置ずれすることを防止する。すなわち、踏板受当部２は、幅方向に異なる位置に設けられた挿入ピン７と固定ノブ８により、側フレーム１０５に係合しており、踏板受当部２が踏板に挿入されている挿入ピン７の周りに回転することが防止される。
【００３８】
また、固定ノブ８の軸部８ａの長さ寸法を側フレーム１０５の前後方向の寸法に合わせることで、破線で示す上側位置にある係合部８ｂが側フレーム１０５の下面後縁１０５ｄに押圧され、踏板受当部２の幅方向への位置ずれを防止することができる。なお、この場合、固定ノブ８の操作を容易にするために、係合部８ｂが下側位置から上側位置へ移動する際に、係合部８ｂが側フレーム１０５の下面後縁１０５ｄに押圧するようにすることが好ましい。
【００３９】
図７は、係合部を側フレームの下面後縁に押圧させるために、係合部をくさび形状とした状態を示す図である。図７に示すように、係合部８ｂを側フレーム１０５との対向面を斜面８ｄとするくさび形に構成することにより、近位端８ｅでは側フレーム１０５の下面後縁１０５ｄには当接せず、下側位置から上側位置へ係合部８ｂが移動するにあたり、遠位端８ｆでは側フレーム１０５の下面後縁１０５ｄに当接させることができる。これにより、下側位置から上側位置への移動時に、係合部８ｂが下面後縁１０５ｄに押圧して、踏板受当部２の幅方向への位置ずれを防止する。
【００４０】
図８は、係合部を側フレームの下面後縁に押圧させるために、下板部６の前端部分を斜辺とした構成を示す図である。図８に示すように、下板部６の前端部分を斜辺とすることにより、レバー部８ｃが下板部６の斜辺６ｃに案内されて前方向へシフトさせることで、係合部８ｂを側フレーム１０５の下面後縁１０５ｄに当接させるものである。
【００４１】
次に、本実施形態にかかる仮設足場用支持部材１の取り付け工程について説明する。本実施形態にかかる仮設足場用支持部材１は、建築物の周囲に組み立てられた仮設足場１００の踏板１０４に取り付けられる。具体的には、図９に示すように、建築物１０１の外壁面における剛性の高い箇所において、仮設足場１００と建築物１０１との間に、仮設足場用支持部材１を固定する。すなわち、ジャッキ５０を取り付けた仮設足場用支持部材１の踏板受当部２を踏板１０４の側フレーム１０５の外面に当接させ、ジャッキを操作して、建築物側当接部材５２を建築物側に移動させることにより、ジャッキ５０の建築物側当接部材５２を、建築物１０１の外壁面における剛性の高い箇所に当接させて仮設足場１００と建築物１０１との間に仮設足場用支持部材１を固定する。このため、建築物１０１における剛性の高い箇所において、仮設足場を建築物に対して支承することができ、足場からの荷重により建築物１０１の外壁面が破損することを防止することが可能となる。
【００４２】
図１０は、本実施形態にかかる仮設足場用支持部材１の取り付け工程を説明する平面図である。仮設足場用支持部材１を踏板に取り付けるには、図１０に示すように、踏板受当部２の上板４の張り出し部４ａが側フレーム１０５の上面に配置されるように、取り付け方向に対して、約９０度回転させた状態で挿入ピン７をエキスパンドメタルの網目１０６ａに挿入する。このとき、挿入ピン７の屈曲部７ｂは、側フレーム１０５の幅方向に向いており、挿入ピン７のエキスパンドメタルへの挿入時に側フレーム１０５と干渉することはない。
【００４３】
挿入ピン７の挿入後、矢印９０に示すように、踏板受当部２を挿入ピン７を回転中心として、踏板受当部２が側フレーム１０５に当接するように回転させる。このときの状態を図１１に示す。なお、図１１においては、ジャッキ５０の記載を省略している。これにより、上板部４及び側板部５が側フレーム１０５の上面１０５ａ及び側面１０５ｂに接し、踏板受当部２が側フレーム１０５の外面に当接する。また、踏板受当部２の回転により、挿入ピン７の屈曲部７ｂは、側フレーム１０５の下面側に張り出すことになり、踏板受当部２と側フレーム１０５とが係合する。
【００４４】
次いで、図１２に示すように、固定ノブ８のレバー部８ｃを操作して係合部８ｂを上側位置に起し、側フレーム１０５の下面後縁１０５ｄに係合させる。これにより、係合部８ｂが側フレーム１０５に係合し、踏板受当部２が踏板１０４に挿入されている挿入ピン７の周りに回転することが防止される。その後、ナット５３を操作して螺軸５１の螺進位置を変更し、ジャッキ５０の建築物側当接部材５２を建築物に押し当てる。
【００４５】
このように、本発明の各実施形態によれば、踏板受当部２の上板部４の張り出し部分４ａに設けられた挿入ピン７を踏板１０４に挿通させた状態から、踏板受当部２を側フレーム１０５に沿った位置に回転移動させた後、固定ノブ８の係合部８ｂを側フレーム１０５の下面内縁１０５ｄに係合させるにより、踏板受当部２の挿入ピン７周りの回動を規制することができる。これにより、踏板受当部２が側フレーム１０５に対して、上下左右方向への位置ずれ及び、上下方への方向への滑り外れることを防止することができる。また、取り付け作業も、挿入ピン７を踏板１０４に差し込んで挿入ピン７回りに回転させる作業でよく、容易に取付を行なうことができる。
【００４６】
なお、本発明は上記実施形態に限定されるものではなく、その他種々の態様で実施可能である。例えば、本実施形態にかかる固定ノブ８は、線材で構成され、軸部８ａを中心に回動させることにより、上下位置間で移動する構成であるが、かかる構成に限定されるものではない。挿入ピンと幅方向に異なる位置において、側フレームの下面内縁に係合可能に構成されているものであれば特にその構成は問わない。
【００４７】
また、本実施形態にかかる仮設足場用支持部材は、ジャッキとは独立した別の部材として構成されていたが、ジャッキと一体的に構成されているものであってもよい。
【符号の説明】
【００４８】
１  仮設足場用支持部材
２  第１の管体
３  取り付け金具
４  上板部
４ａ  張り出し部
５  側板部
６  下板部
６ａ，６ｂ  取り付け部
７  挿入ピン
７ａ  垂下部
７ｂ  屈曲部
８  固定ノブ
８ａ  軸部
８ｂ  係合部
８ｃ  レバー部
９  ノブ取り付け隙間
５０  ジャッキ
５１  螺軸
５２  建築物側当接部材
５３  ナット
５４  ハンドル
１００  仮設足場
１０１  建築物
１０２  支柱
１０３  水平材
１０４  踏板
１０５  側フレーム
１０６  エキスパンドメタル
１０７  係止フック
【図１】
2018123474.tif 000003
【図２】
2018123474.tif 000004
【図３】
2018123474.tif 000005
【図４】
2018123474.tif 000006
【図５】
2018123474.tif 000007
【図６】
2018123474.tif 000008
【図７】
2018123474.tif 000009
【図８】
2018123474.tif 000010
【図９】
2018123474.tif 000011
【図１０】
2018123474.tif 000012
【図１１】
2018123474.tif 000013
【図１２】
2018123474.tif 000014